(57)【要約】【化１】2010507012.tif 000028  本発明は、空気または酸素の存在下で酸化劣化を通常受け易い有機材料、例えば石油製品、合成重合体および弾性重合体物質などに添加した時に酸化防止特性を示す新規な高分子アミン−フェノール系組成物に関する。
2010507012.tif 000002
【特許請求の範囲】
【請求項１】
１種以上のｉ）１個の３，５−ジ−ヒドロカルビル−４−ヒドロキシルベンジル基で置換されている芳香族アミン、ｉｉ）２個の３，５−ジ−ヒドロカルビル−４−ヒドロキシルベンジル基で置換されている芳香族アミン、ｉｉｉ）３個の３，５−ジ−ヒドロカルビル−４−ヒドロキシルベンジル基で置換されている芳香族アミン、ｉｖ）４個の３，５−ジ−ヒドロカルビル−４−ヒドロキシルベンジル基で置換されている芳香族アミン、ｖ）５個の３，５−ジ−ヒドロカルビル−４−ヒドロキシルベンジル基で置換されている芳香族アミンおよびｖｉ）６個の３，５−ジ−ヒドロカルビル−４−ヒドロキシルベンジル基で置換されている芳香族アミン、およびｖｉｉ）１個以上の３，５−ジ−ヒドロカルビル−４−ヒドロキシルベンジル基で置換されている１種以上のメチレン橋渡し芳香族アミンを含有して成る高分子抗酸化剤生成物であって、室温で液体であるか或は約１００℃未満で溶融する固体でありかつ液状炭化水素溶媒に溶解し得かつ下記の一般式：
【化１】
2010507012.tif 000012
［式中、各ＲおよびＲ’は独立してＨまたはヒドロカルビルである］
で表される１種以上のフェノール成分を約１から約１０重量％の範囲内の量で含有する高分子抗酸化剤生成物。
【請求項２】
ｉ）１個の３，５−ジ−ヒドロカルビル−４−ヒドロキシルベンジル基で置換されている１種以上の芳香族アミンの含有量が約５重量％未満であり、ｉｉ）２個の３，５−ジ−ヒドロカルビル−４−ヒドロキシルベンジル基で置換されている１種以上の芳香族アミンの含有量が約１０重量％未満であり、ｉｉｉ）３個の３，５−ジ−ヒドロカルビル−４−ヒドロキシルベンジル基で置換されている１種以上の芳香族アミンの含有量が約１重量％から約３５重量％の範囲内であり、ｉｖ）４個の３，５−ジ−ヒドロカルビル−４−ヒドロキシルベンジル基で置換されている１種以上の芳香族アミン、ｖ）５個の３，５−ジ−ヒドロカルビル−４−ヒドロキシルベンジル基で置換されている１種以上の芳香族アミン、ｖｉ）６個の３，５−ジ−ヒドロカルビル−４−ヒドロキシルベンジル基で置換されている１種以上の芳香族アミンの中の少なくとも１種の含有量が４０重量％以上でありかつｖｉｉ）１個以上の３，５−ジ−ヒドロカルビル−４−ヒドロキシルベンジル基で置換されている１種以上のメチレン橋渡し芳香族アミンの含有量が約１から約２０重量％の範囲内でありかつあらゆる重量％が高分子反応生成物の総重量を基準にした重量％である高分子反応生成物であって、室温で液体であるか或は約１００℃未満で溶融する固体でありかつ下記の一般式：
【化２】
2010507012.tif 000013
［式中、各ＲおよびＲ’は独立してＨまたはヒドロカルビルである］
で表される１種以上のフェノール成分を約１から約１０重量％の範囲内の量で含有する高分子反応生成物。
【請求項３】
ｉ）とｉｉ）の含有量が高分子反応生成物の総重量を基準にして約５重量％未満である請求項２記載の高分子反応生成物。
【請求項４】
下記の特性：
ａ）未反応の芳香族アミン出発材料を実質的に含有しないこと、
ｂ）フェノール系出発材料を実質的に含有しないこと、
ｃ）１個の３，５−ジ−ヒドロカルビル−４−ヒドロキシルベンジル基で置換されている
芳香族アミンを実質的に含有しないこと、
の中の１つ以上を有することを特徴とする請求項２記載の高分子反応生成物。
【請求項５】
ｖｉｉ）の含有量が高分子反応生成物の総重量を基準にして約１から約１５重量％の範囲内である請求項２記載の高分子反応生成物。
【請求項６】
下記の一般式である式Ｉ：
【化３】
2010507012.tif 000014
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６は独立してＨまたはヒドロカルビルであり、ｎは約０から約１の範囲内の整数であり、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表される１種以上の化合物を含有して成る請求項２記載の高分子反応生成物。
【請求項７】
下記の一般式：
【化４】
2010507012.tif 000015
［ここで、式ＩＩおよびＩＩＩの各Ｒ１、Ｒ２、Ｒ５およびＲ６は独立してＨまたはヒドロカルビルであり、各ＲおよびＲ’は独立して水素または炭素を約１から約８の範囲内
の数で含有する分枝もしくは直鎖アルキルであり、式ＩＩの各ｐおよびｑは独立して約１から約１０の範囲内の整数であり、そしてｐ＋ｑは約１０であり、式ＩＩＩの各ｐおよびｑは独立して整数であり、そしてｐ＋ｑは約１から約１２の範囲内である］
で表される１種以上の化合物を含有して成る請求項２記載の高分子反応生成物。
【請求項８】
前記１個以上の３，５−ジ−ヒドロカルビル−４−ヒドロキシルベンジル基で置換されている１種以上のメチレン橋渡し芳香族アミンが式ＩＩ、式ＩＩＩまたは式ＩＩと式ＩＩＩで表される請求項２記載の高分子反応生成物。
【請求項９】
ｉ）１個の３，５−ジ−ヒドロカルビル−４−ヒドロキシルベンジル基で置換されてい
る芳香族アミンの含有量が高分子反応生成物の総重量を基準にして約５重量％未満
であり、
ｉｉ）２個の３，５−ジ−ヒドロカルビル−４−ヒドロキシルベンジル基で置換されてい
る芳香族アミンの含有量が高分子反応生成物の総重量を基準にして約１０重量％未
満であり、
ｉｉｉ）３個の３，５−ジ−ヒドロカルビル−４−ヒドロキシルベンジル基で置換されて
いる芳香族アミンの含有量が高分子反応生成物の総重量を基準にして約１重量％
から約３５重量％の範囲内であり、
ｉｖ）４個の３，５−ジ−ヒドロカルビル−４−ヒドロキシルベンジル基で置換されてい
る芳香族アミンの含有量が高分子反応生成物の総重量を基準にして約１０重量％か
ら約６５重量％の範囲内であり、
ｖ）５個の３，５−ジ−ヒドロカルビル−４−ヒドロキシルベンジル基で置換されている
芳香族アミンの含有量が高分子反応生成物の総重量を基準にして約５重量％から約６
０重量％の範囲内であり、
ｖｉ）６個の３，５−ジ−ヒドロカルビル−４−ヒドロキシルベンジル基で置換されてい
る芳香族アミンの含有量が高分子反応生成物の総重量を基準にして約１重量％から
約５０重量％の範囲内であり、
ｖｉｉ）１個以上の３，５−ジ−ヒドロカルビル−４−ヒドロキシルベンジル基で置換さ
れている１種以上のメチレン橋渡し芳香族アミンの含有量が約１から約１５重量
％の範囲内であり、かつ下記の一般式：
【化５】
2010507012.tif 000016
［式中、各ＲおよびＲ’は独立してＨまたはヒドロカルビルである］
で表される１種以上のフェノール成分を約１から約５重量％の範囲内の量で含有するか、或は
ｉ）１個の３，５−ジ−ヒドロカルビル−４−ヒドロキシルベンジル基で置換されている芳香族アミンの含有量が高分子反応生成物の総重量を基準にして約１重量％未満であり、ｉｉ）２個の３，５−ジ−ヒドロカルビル−４−ヒドロキシルベンジル基で置換されている芳香族アミンの含有量が高分子反応生成物の総重量を基準にして約５重量％未満であり、
ｉｉｉ）３個の３，５−ジ−ヒドロカルビル−４−ヒドロキシルベンジル基で置換されている芳香族アミンの含有量が高分子反応生成物の総重量を基準にして約５重量％から約２５重量％の範囲内であり、
ｉｖ）４個の３，５−ジ−ヒドロカルビル−４−ヒドロキシルベンジル基で置換されている芳香族アミンの含有量が高分子反応生成物の総重量を基準にして約１５重量％から約６０重量％の範囲内であり、
ｖ）５個の３，５−ジ−ヒドロカルビル−４−ヒドロキシルベンジル基で置換されている
芳香族アミンの含有量が高分子反応生成物の総重量を基準にして約８重量％から約５０重量％の範囲内であり、
ｖｉ）６個の３，５−ジ−ヒドロカルビル−４−ヒドロキシルベンジル基で置換されている芳香族アミンの含有量が高分子反応生成物の総重量を基準にして約５重量％から約３５重量％の範囲内であり、
ｖｉｉ）１個以上の３，５−ジ−ヒドロカルビル−４−ヒドロキシルベンジル基で置換されている１種以上のメチレン橋渡し芳香族アミンの含有量が高分子反応生成物の総重量を基準にして約１から約１０重量％の範囲内であり、かつ下記の一般式：
【化６】
2010507012.tif 000017
［式中、各ＲおよびＲ’は独立してＨまたはヒドロカルビルである］
で表される１種以上のフェノール成分を約１から約５重量％の範囲内の量で含有する、
請求項２記載の高分子反応生成物。
【請求項１０】
下記の特性：
ａ）未反応の芳香族アミン出発材料を実質的に含有しないこと、
ｂ）フェノール系出発材料を実質的に含有しないこと、
ｃ）１個の３，５−ジ−ヒドロカルビル−４−ヒドロキシルベンジル基で置換されている
芳香族アミンを実質的に含有しないこと、
の中の１つ以上を有することを特徴とする請求項９記載の高分子反応生成物。
【請求項１１】
下記の化合物：
【化７】
2010507012.tif 000018
【化８】
2010507012.tif 000019
の中の１種以上を含有する請求項２記載の高分子反応生成物。
【請求項１２】
空気または酸素の存在下で酸化を受け易い１種以上の有機材料および
ａ）１個の３，５−ジ−ヒドロカルビル−４−ヒドロキシルベンジル基で置換されている
１種以上の芳香族アミンの含有量が高分子反応生成物の総重量を基準にして約５重量
％未満であり、
ｂ）２個の３，５−ジ−ヒドロカルビル−４−ヒドロキシルベンジル基で置換されている
１種以上の芳香族アミンの含有量が高分子反応生成物の総重量を基準にして約１０重
量％未満であり、
ｃ）３個の３，５−ジ−ヒドロカルビル−４−ヒドロキシルベンジル基で置換されている
１種以上の芳香族アミンの含有量が高分子反応生成物の総重量を基準にして約１重量
％から約３５重量％の範囲内であり、
ｄ）４個の３，５−ジ−ヒドロカルビル−４−ヒドロキシルベンジル基で置換されている
１種以上の芳香族アミンの含有量が高分子反応生成物の総重量を基準にして約１０重
量％から約６５重量％の範囲内であり、
ｅ）５個の３，５−ジ−ヒドロカルビル−４−ヒドロキシルベンジル基で置換されている
１種以上の芳香族アミンの含有量が高分子反応生成物の総重量を基準にして約５重量
％から約６０重量％の範囲内であり、
ｆ）６個の３，５−ジ−ヒドロカルビル−４−ヒドロキシルベンジル基で置換されている
１種以上の芳香族アミンの含有量が高分子反応生成物の総重量を基準にして約１重量
％から約５０重量％の範囲内であり、かつ
ｇ）１個以上の３，５−ジ−ヒドロカルビル−４−ヒドロキシルベンジル基で置換されて
いる１種以上のメチレン橋渡し芳香族アミンの含有量が高分子反応生成物の総重量を
基準にして約１から約２０重量％の範囲内であり、かつ下記の一般式：
【化９】
2010507012.tif 000020
［式中、各ＲおよびＲ’は独立してＨまたはヒドロカルビルである］
で表される１種以上のフェノール成分を約１から約１０重量％の範囲内の量で含有する、抗酸化剤生成物から生じさせた組成物。
【請求項１３】
前記抗酸化剤生成物が下記の一般式である式Ｉ：
【化１０】
2010507012.tif 000021
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６は独立してＨまたはヒドロカルビルであり、ｎは約０から約１の範囲内の整数であり、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表される１種以上の化合物を含有して成る請求項１２記載の組成物。
【請求項１４】
前記１個以上の３，５−ジ−ヒドロカルビル−４−ヒドロキシルベンジル基で置換されている１種以上のメチレン橋渡し芳香族アミンが式ＩＩ、式ＩＩＩまたは式ＩＩと式ＩＩＩで表される請求項１３記載の組成物。
【請求項１５】
前記抗酸化剤生成物が下記の化合物：
【化１１】
2010507012.tif 000022
の中の１種以上を含有する請求項１２記載の組成物。
【請求項１６】
前記抗酸化剤生成物が１個の３，５−ジヒドロカルビル−４−ヒドロキシルベンジル基で置換されている芳香族アミンを実質的に含有しない請求項１３記載の組成物。
【請求項１７】
更に１種以上の分散剤、洗浄剤、抗摩耗添加剤、極圧添加剤、腐食防止剤、錆防止剤、摩擦調整剤、金属不活性化剤、滑剤、流動点降下剤、アンチノック剤、防氷剤、粘度指数調整剤、乳化剤、解乳化剤、シールスウェル剤、可溶化剤、消泡剤、他の抗酸化剤もしくは安定剤、希釈剤、溶媒、担体流体またはジアルキルジチオ燐酸亜鉛、少なくとも１種の通常のヒンダードフェノール系抗酸化剤、少なくとも１種の通常のアルキル置換ジフェニルアミン系抗酸化剤、少なくとも１種の有機モリブデン化合物、少なくとも１種のアルキル置換ジフェニルアミンと少なくとも１種の有機モリブデン化合物、少なくとも１種の無燐抗摩耗もしくは極圧添加剤、少なくとも１種のモリブデン含有もしくはホウ素含有分散剤、少なくとも１種の有機ホウ素化合物、少なくとも１種の有機ホウ素化合物と少なくとも１種の通常のアルキル置換ジフェニルアミン、少なくとも１種の硫化抗酸化剤、ＥＰ（極圧）添加剤もしくは抗摩耗添加剤、少なくとも１種の通常のアルキル置換ジフェニルアミンに加えて少なくとも１種の（ｉ）硫化抗酸化剤、（ｉｉ）ＥＰ添加剤、（ｉｉｉ）抗摩耗添加剤および（ｉｖ）有機ホウ素化合物も含有して成る請求項１３記載の組成物。
【請求項１８】
前記１種以上の有機材料が１種以上の熱可塑性重合体、樹脂もしくはオリゴマー；天然
もしくは合成ゴムもしくは弾性重合体；グループＩ、ＩＩおよびＩＩＩの鉱油、ポリ−アルファ−オレフィン、合成エステル、ガスツーリキッドで得られた油、バイオが基になった油、内燃機関用油、列車および海洋用潤滑油、天然ガスエンジンオイル、ガスタービンオイル、蒸気タービンオイル、航空タービンオイル、錆および酸化用油、油圧油、コンプレッサー用流体、滑斜面用油、急冷用油、マニュアルおよびオートマチックトランスミッション用流体、ギアオイルおよびグリースである請求項１３記載の組成物。
【請求項１９】
ａ）グループＩ、ＩＩおよびＩＩＩの鉱油から選択される潤滑粘度を有する少なくとも
１種の油、ポリ−アルファ−オレフィン、合成エステル、ガスツーリキッドで得ら
れた油、バイオが基になった油、内燃機関用油、列車および海洋用潤滑油、天然ガ
スエンジンオイル、ガスタービンオイル、蒸気タービンオイル、航空タービンオイ
ル、錆および酸化用油、油圧油、コンプレッサー用流体、滑斜面用油、急冷用油、
マニュアルおよびオートマチックトランスミッション用流体、ギアオイルおよびグ
リースから選択される空気または酸素の存在下で酸化され易い１種以上の有機材料
、
ｂ）ｉ）（１）１個の３，５−ジ−ヒドロカルビル−４−ヒドロキシルベンジル基で置換
されている芳香族アミンの含有量が抗酸化剤生成物１の総重量を基準にし
て約５重量％未満であり、
（２）２個の３，５−ジ−ヒドロカルビル−４−ヒドロキシルベンジル基で置換
されている芳香族アミンの含有量が抗酸化剤生成物１の総重量を基準にし
て約１０重量％未満であり、
（３）３個の３，５−ジ−ヒドロカルビル−４−ヒドロキシルベンジル基で置換
されている芳香族アミンの含有量が抗酸化剤生成物１の総重量を基準にし
て約１重量％から約３５重量％の範囲内であり、
（４）４個の３，５−ジ−ヒドロカルビル−４−ヒドロキシルベンジル基で置換
されている芳香族アミンの含有量が抗酸化剤生成物１の総重量を基準にし
て約１０重量％から約６５重量％の範囲内であり、
（５）５個の３，５−ジ−ヒドロカルビル−４−ヒドロキシルベンジル基で置換
されている芳香族アミンの含有量が抗酸化剤生成物１の総重量を基準にし
て約５重量％から約６０重量％の範囲内であり、
（６）６個の３，５−ジ−ヒドロカルビル−４−ヒドロキシルベンジル基で置換
されている芳香族アミンの含有量が抗酸化剤生成物１の総重量を基準にし
て約１重量％から約５０重量％の範囲内であり、
（７）１個以上の３，５−ジ−ヒドロカルビル−４−ヒドロキシルベンジル基で
置換されている１種以上のメチレン橋渡し芳香族アミンの含有量が抗酸化
剤生成物１の総重量を基準にして約１から約２０重量％の範囲内であり、
かつ下記の一般式：
【化１２】
2010507012.tif 000023
［式中、各ＲおよびＲ’は独立してＨまたはヒドロカルビルである］
で表される１種以上のフェノール成分を約１から約１０重量％の範囲内の量で含有する、抗酸化剤生成物１、または
ｉｉ）（１）１個の３，５−ジ−ヒドロカルビル−４−ヒドロキシルベンジル基で置換
されている芳香族アミンの含有量が抗酸化剤生成物２の総重量を基準にし
て約１重量％未満であり、
（２）２個の３，５−ジ−ヒドロカルビル−４−ヒドロキシルベンジル基で置換
されている芳香族アミンの含有量が抗酸化剤生成物２の総重量を基準にし
て約５重量％未満であり、
（３）３個の３，５−ジ−ヒドロカルビル−４−ヒドロキシルベンジル基で置換
されている芳香族アミンの含有量が抗酸化剤生成物２の総重量を基準にし
て約５重量％から約２５重量％の範囲内であり、
（４）４個の３，５−ジ−ヒドロカルビル−４−ヒドロキシルベンジル基で置換
されている芳香族アミンの含有量が抗酸化剤生成物２の総重量を基準にし
て約１５重量％から約６０重量％の範囲内であり、
（５）５個の３，５−ジ−ヒドロカルビル−４−ヒドロキシルベンジル基で置換
されている芳香族アミンの含有量が抗酸化剤生成物２の総重量を基準にし
て約８重量％から約５０重量％の範囲内であり、
（６）６個の３，５−ジ−ヒドロカルビル−４−ヒドロキシルベンジル基で置換
されている芳香族アミンの含有量が抗酸化剤生成物２の総重量を基準にし
て約５重量％から約３５重量％の範囲内であり、かつ
（７）１個以上の３，５−ジ−ヒドロカルビル−４−ヒドロキシルベンジル基で
置換されている１種以上のメチレン橋渡し芳香族アミンの含有量が抗酸化
剤生成物２の総重量を基準にして約１から約２０重量％の範囲内であり、
かつ下記の一般式：
【化１３】
2010507012.tif 000024
［式中、各ＲおよびＲ’は独立してＨまたはヒドロカルビルである］
で表される１種以上のフェノール成分を約１から約１０重量％の範囲内の量で含有する、抗酸化剤生成物２、
から選択される抗酸化剤生成物、
ｃ）分散剤、洗浄剤、抗摩耗添加剤、極圧添加剤、腐食防止剤、錆防止剤、摩擦調整剤、金属不活性化剤、滑剤、流動点降下剤、アンチノック剤、防氷剤、粘度指数調整剤、乳化剤、解乳化剤、シールスウェル剤、可溶化剤、消泡剤、他の抗酸化剤もしくは安定剤、希釈剤、溶媒、担体流体またはジアルキルジチオ燐酸亜鉛、少なくとも１種の通常のヒンダードフェノール系抗酸化剤、少なくとも１種の通常のアルキル置換ジフェニルアミン系抗酸化剤、少なくとも１種の有機モリブデン化合物、少なくとも１種のアルキル置換ジフェニルアミンと少なくとも１種の有機モリブデン化合物、少なくとも１種の無燐抗摩耗もしくは極圧添加剤、少なくとも１種のモリブデン含有もしくはホウ素含有分散剤、少なくとも１種の有機ホウ素化合物、少なくとも１種の有機ホウ素化合物と少なくとも１種の通常のアルキル置換ジフェニルアミン、少なくとも１種の硫化抗酸化剤、ＥＰ（極圧）添加剤もしくは抗摩耗添加剤、少なくとも１種の通常のアルキル置換ジフェニルアミンに加えて少なくとも１種の（ｉ）硫化抗酸化剤、（ｉｉ）ＥＰ添加剤、（ｉｉｉ）抗摩耗添加剤および（ｉｖ）有機ホウ素化合物から選択される１種以上の添加剤、
を含有して成る組成物。
【請求項２０】
前記抗酸化剤生成物が下記の一般式である式Ｉ：
【化１４】
2010507012.tif 000025
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６は独立してＨまたはヒドロカルビルであり、ｎは約０から約１の範囲内の整数であ
り、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表される１種以上の化合物を含有して成る請求項１９記載の組成物。
【請求項２１】
前記抗酸化剤組成物が式ＩＩおよび式ＩＩＩで表される１種以上の化合物を含有して成る請求項２０記載の組成物。
【請求項２２】
前記抗酸化剤生成物が下記の化合物：
【化１５】
2010507012.tif 000026
【化１６】
2010507012.tif 000027
の中の１種以上を含有する請求項２０記載の組成物。
【請求項２３】
前記抗酸化剤生成物が１個の３，５−ジヒドロカルビル−４−ヒドロキシルベンジル基で置換されている芳香族アミンを実質的に含有しないか或は１個の３，５−ジヒドロカルビル−４−ヒドロキシルベンジル基で置換されている芳香族アミンを実質的に含有せずかつ２個の３，５−ジヒドロカルビル−４−ヒドロキシルベンジル基で置換されている芳香族アミンを実質的に含有しない請求項１９記載の組成物。
【請求項２４】
ｂ）とｃ）が少なくとも１種以上の油と一緒に濃縮液として混合されておりかつ前記濃縮液がａ）を約５から約９５重量％の範囲内の量で含有しかつ希釈用油も含有する請求項１９記載の組成物。
【請求項２５】
前記抗酸化剤生成物１および抗酸化剤生成物２が含有する１個以上の３，５−ジ−ヒドロカルビル−４−ヒドロキシルベンジル基で置換されている１種以上のメチレン橋渡し芳香族アミンが式ＩＩ、式ＩＩＩまたは式ＩＩと式ＩＩＩで表される請求項１９記載の組成物。
【発明の詳細な説明】
【技術分野】
【０００１】
本発明は、空気または酸素の存在下で酸化劣化を通常受け易い有機材料、例えば石油製品、合成重合体および弾性重合体物質などに添加した時に酸化防止特性を示す新規な高分子アミン−フェノール系組成物に関する。
【背景技術】
【０００２】
幅広く多様な有機材料が空気または酸素の存在下で酸化劣化を受け易く、特に温度が高い時に受け易いことは良く知られている。そのような有機材料には、例えばガソリン、ディーゼル燃料、バーナー燃料、ガスタービンおよびジェット燃料、オートマチックトランスミッション用流体、ギアオイル、エンジン潤滑油、熱可塑性重合体、天然および合成ゴムなどが含まれる。そのような材料の中の１種以上の劣化を最小限にする能力を有する化合物を発見および開発する努力が長年に渡ってかなり行われてきた。そのような材料がいろいろな酸素含有環境下で使用されかつそのような環境にさらされる条件が長年に渡って変化してきたことから、新規で有効な高分子酸化防止剤（即ち抗酸化剤）の必要性が継続して存在する。また、公知の有効な高分子酸化防止剤を製造するに適した新規で高度に有効な工程技術が提供されると、それも当該技術分野にとって多大な利益になる。
【０００３】
３，５−ジ−ｔ−ブチル−４−ヒドロキシベンジルアルコールとアリールアミン、カルバゾール、フェナジンまたはアクリジンを反応させて酸化防止剤を生じさせることが特許文献１に開示されている。不幸なことには、その結果としてもたらされる反応生成物は未反応のアミン出発材料を多量に含有する複雑な混合物でありかつ所望生成物の生成収率も低い。
【先行技術文献】
【特許文献】
【０００４】
【特許文献１】米国特許第３，６７３，０９１号
【発明の概要】
【０００５】
本発明は、いくつかの態様において、酸化防止剤、特にこの上に示した種類の石油製品用の酸化防止剤としての有用性を高める特性を有する高分子抗酸化剤生成物に関する。そのような高分子反応生成物は、典型的に、１種以上のｉ）１個の３，５−ジ−ヒドロカルビル−４−ヒドロキシルベンジル基で置換されている芳香族アミン、ｉｉ）２個の３，５−ジ−ヒドロカルビル−４−ヒドロキシルベンジル基で置換されている芳香族アミン、ｉｉｉ）３個の３，５−ジ−ヒドロカルビル−４−ヒドロキシルベンジル基で置換されている芳香族アミン、ｉｖ）４個の３，５−ジ−ヒドロカルビル−４−ヒドロキシルベンジル基で置換されている芳香族アミン、ｖ）５個の３，５−ジ−ヒドロカルビル−４−ヒドロキシルベンジル基で置換されている芳香族アミンおよびｖｉ）６個の３，５−ジ−ヒドロカルビル−４−ヒドロキシルベンジル基で置換されている芳香族アミン、およびｖｉｉ）１個以上の３，５−ジ−ヒドロカルビル−４−ヒドロキシルベンジル基で置換されている１種以上のメチレン橋渡し芳香族アミンを含有して成る。この高分子抗酸化剤生成物は室温で液体であるか或は約１００℃未満で溶融する固体でありかつ液状炭化水素溶媒に溶解し得る。
【０００６】
本発明の好適な高分子抗酸化剤生成物は、室温（約２３℃）で液体であるか或は約１００℃未満、好適には約６０℃未満で溶融する固体でありかつ通常の有機溶媒、特に液状炭
化水素溶媒に溶解し得る化合物である。加うるに、多くの場合、そのような生成物は潤滑油、例えば高い粘度指数の１００  Ｎｅｕｔｒａｌが５０体積％で高い粘度指数の２５０
Ｎｅｕｔｒａｌが５０体積％の基油、例えば米国特許第３，６７３，０９１号に示されている如き基油など中でも高い溶解性を示す。
【０００７】
本発明の更に別の面では、潤滑油、特に内燃機関用潤滑油で用いるに特に適した新規な抗酸化剤配合物を提供する。また、前記および他の抗酸化剤配合物の詳細な説明をまた本明細書の以下でも行う。
【０００８】
以下の説明および添付請求項から本発明の前記および他の面、特徴および態様が更に明らかになるであろう。
【０００９】
発明の詳細な説明
本発明の生成物
上述したように、本発明の高分子反応生成物は抗酸化剤として用いるに有用であり、このように、本高分子フェノール−芳香族アミン反応生成物を本明細書では簡潔さの目的で時にはアルキル置換芳香族アミン、抗酸化剤生成物、高分子抗酸化剤組成物または高分子酸化防止剤とも呼ぶ。上述したように、本発明の好適な抗酸化剤生成物は、室温（約２３℃）で液体であるか或は約１００℃未満、好適には約６０℃未満で溶融する固体でありかつ通常の有機溶媒、特に液状炭化水素溶媒に溶解し得る化合物である。加うるに、多くの場合、そのような生成物は潤滑油、例えば高い粘度指数の１００  Ｎｅｕｔｒａｌが５０体積％で高い粘度指数の２５０  Ｎｅｕｔｒａｌが５０体積％の基油、例えば米国特許第３，６７３，０９１号に示されている如き基油など中でも高い溶解性を示す。
【００１０】
本発明の抗酸化剤生成物は、典型的に、１種以上のアルキル置換芳香族アミンおよび１個以上のメチレンブリッジを有する１種以上のアルキル置換芳香族アミンを含有して成る。そのようなアルキル置換芳香族アミンは、典型的に、１種以上のｉ）１個の３，５−ジ−ヒドロカルビル−４−ヒドロキシルベンジル基で置換されている芳香族アミン（本明細書では時として一アルキル置換芳香族アミンと呼ぶ）、ｉｉ）２個の３，５−ジ−ヒドロカルビル−４−ヒドロキシルベンジル基で置換されている芳香族アミン（本明細書では時として二アルキル置換芳香族アミンと呼ぶ）、ｉｉｉ）３個の３，５−ジ−ヒドロカルビル−４−ヒドロキシルベンジル基で置換されている芳香族アミン（本明細書では時として三アルキル置換芳香族アミンと呼ぶ）、ｉｖ）４個の３，５−ジ−ヒドロカルビル−４−ヒドロキシルベンジル基で置換されている芳香族アミン（本明細書では時として四アルキル置換芳香族アミンと呼ぶ）、ｖ）５個の３，５−ジ−ヒドロカルビル−４−ヒドロキシルベンジル基で置換されている芳香族アミン（本明細書では時として五アルキル置換芳香族アミンと呼ぶ）、ｖｉ）６個の３，５−ジ−ヒドロカルビル−４−ヒドロキシルベンジル基で置換されている芳香族アミン（本明細書では時として六アルキル置換芳香族アミンと呼ぶ）、およびｖｉｉ）１個以上の３，５−ジ−ヒドロカルビル−４−ヒドロキシルベンジル基で置換されている１種以上のメチレン橋渡し芳香族アミンを含有して成る。本発明の反応生成物が含有する１個の３，５−ジ−ヒドロカルビル−４−ヒドロキシルベンジル基で置換されている芳香族アミンの量が反応生成物の総重量を基準にして約５重量％未満であるのが好適である。他の態様において、本発明の反応生成物が含有する２個の３，５−ジ−ヒドロカルビル−４−ヒドロキシルベンジル基で置換されている芳香族アミンの量は１０重量％以下である。更に他の態様において、本発明の抗酸化剤生成物が含有する１個の３，５−ジ−ヒドロカルビル−４−ヒドロキシルベンジル基で置換されている芳香族アミンと２個の３，５−ジ−ヒドロカルビル−４−ヒドロキシルベンジル基で置換されている芳香族アミンの量は同じ基準で５重量％以下である。いくつかの態様では、本発明の抗酸化剤生成物が含有する４個の３，５−ジ−ヒドロカルビル−４−ヒドロキシルベンジル基で置換されている芳香族アミン、５個の３，５−ジ−ヒドロカルビル−４−ヒドロキシルベンジル基で置換されている芳香族アミンまたは６個の３，５−ジ−ヒドロカルビル−４−ヒドロキシルベンジル基で置換されている芳香族アミンの量は４０重量％以上、いくつかの態様では約４５重量％以上、他の態様では約５０重量％以上である（全部抗酸化剤生成物の総重量を基準）。この上に示した態様において、本発明の抗酸化剤生成物が含有する１個以上の３，５−ジ−ヒドロカルビル−４−ヒドロキシルベンジル基で置換されている１種以上のメチレン橋渡し芳香族アミンの量は約１から約２０重量％の範囲内、好適には約１から約１５重量％の範囲内、最も好適には約１から１０重量％の範囲内（全部抗酸化剤生成物の総重量を基準）である。
【００１１】
いくつかの態様において、本発明の抗酸化剤生成物は、ｉ）１個の３，５−ジ−ヒドロカルビル−４−ヒドロキシルベンジル基で置換されている芳香族アミンの含有量が約５重量％未満、好適には約１重量％未満、より好適には約０．５重量％未満（全部抗酸化剤生成物の総重量を基準）であり、ｉｉ）２個の３，５−ジ−ヒドロカルビル−４−ヒドロキシルベンジル基で置換されている芳香族アミンの含有量が約１０重量％未満、好適には約５重量％未満、より好適には約１重量％未満（全部抗酸化剤生成物の総重量を基準）であり、ｉｉｉ）３個の３，５−ジ−ヒドロカルビル−４−ヒドロキシルベンジル基で置換されている芳香族アミンの含有量が約１重量％から約３５重量％の範囲内、好適には約５重量％から約２５重量％の範囲内、より好適には約５重量％から約２０重量％の範囲内（同じ基準）であり、ｉｖ）４個の３，５−ジ−ヒドロカルビル−４−ヒドロキシルベンジル基で置換されている芳香族アミンの含有量が約１０重量％から約６５重量％の範囲内、好適には約１５重量％から約６０重量％の範囲内、より好適には約２０重量％から約５５重量％の範囲内（同じ基準）であり、ｖ）５個の３，５−ジ−ヒドロカルビル−４−ヒドロキシルベンジル基で置換されている芳香族アミンの含有量が約５重量％から約６０重量％の範囲内、好適には約８重量％から約５０重量％の範囲内、より好適には約１０重量％から約４０重量％の範囲内（同じ基準）であり、ｖｉ）６個の３，５−ジ−ヒドロカルビル−４−ヒドロキシルベンジル基で置換されている芳香族アミンの含有量が約１重量％から約５０重量％の範囲内、好適には約５重量％から約３５重量％の範囲内、より好適には約５重量％から約２０重量％の範囲内（同じ基準）であり、かつｖｉｉ）１個以上の３，５−ジ−ヒドロカルビル−４−ヒドロキシルベンジル基で置換されている１種以上のメチレン橋渡し芳香族アミンの含有量が約１から約２０重量％の範囲内、好適には約１から約１５重量％の範囲内、より好適には約１重量％から約１０重量％の範囲内であるとして記述可能である。
【００１２】
本発明の抗酸化剤生成物は、また、下記の一般式：
【００１３】
【化１】
2010507012.tif 000003
【００１４】
［式中、各ＲおよびＲ’は独立してＨまたはヒドロカルビルである］
で表される１種以上のフェノール成分も約１から約１０重量％の範囲内、好適には約１から約５重量％の範囲内の量で含有する。好適な態様におけるＲおよびＲ’はＨまたは直鎖もしくは分枝鎖、好適には分枝鎖アルキル基である。特に好適な態様におけるＲおよびＲ’はｔ−ブチルであり、その場合の化合物は４，４’−メチレンビス（２，６−ジ−ｔ−ブチルフェノール）：
【００１５】
【化２】
2010507012.tif 000004
【００１６】
である。
【００１７】
いくつかの態様における本発明の高分子抗酸化剤組成物は、下記の一般式である式Ｉ：
【００１８】
【化３】
2010507012.tif 000005
【００１９】
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６はＨまたはヒドロカルビルであり、ｎは約０から約１の範囲内の整数であり、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表され得る１種以上の化合物を含有して成る。いくつかの態様における本発明の高分子抗酸化剤組成物は上述した一般式で表される分子を２種以上含有することを注目すべきである。そのような態様では、その１種以上の化合物の各々のＲ１、Ｒ２、Ｒ３、Ｒ４、Ｒ５およびＲ６の構成は同じまたは異なってもよくかつ前記１種以上の化合物の各々のｐ、ｑ、ｍおよびｎの値も同じもしくは異なってもよい。
【００２０】
いくつかの態様における本発明の高分子抗酸化剤組成物は、下記の一般式ＩＩ：
【００２１】
【化４】
2010507012.tif 000006
【００２２】
［ここで、式ＩＩのＲ１、Ｒ２、Ｒ５およびＲ６は独立してＨまたはヒドロカルビルであり、ＲおよびＲ’は独立して水素または炭素を約１から約８の範囲内、好適には炭素原子を約１から約４の範囲内の数で含有する分枝もしくは直鎖アルキルであり、そしてｐおよびｑは独立して約１から約１０の範囲内の整数であり、かつｐ＋ｑは約１０である］
で表される化合物を１種以上、好適には２種以上含有する。本発明の高分子抗酸化剤組成物が式ＩＩで表される化合物を２種以上含有する場合には前記化合物の各々のＲ１、Ｒ２、Ｒ５およびＲ６、ＲおよびＲ’の構成は同じまたは異なってもよくかつ前記１種以上の化合物の各々のｐおよびｑの値も同じもしくは異なってもよいことを注目すべきである。
本発明の高分子抗酸化剤組成物は、また、下記の一般式ＩＩＩ：
【００２３】
【化５】
2010507012.tif 000007
【００２４】
［ここで、Ｒ１、Ｒ２、Ｒ５、Ｒ６、Ｒ、Ｒ’は上述したそれらと同じであり、そしてｐおよびｑは整数であり、かつｐ＋ｑは約１から約１２の範囲内である］
で表される化合物を１種以上、好適には２種以上含有する。本発明の高分子抗酸化剤組成物が式ＩＩＩで表される化合物を２種以上含有する場合には前記化合物の各々のＲ１、Ｒ２、Ｒ５およびＲ６、ＲおよびＲ’の構成は同じまたは異なってもよくかつ前記１種以上の化合物の各々のｐおよびｑの値も同じもしくは異なってもよいことを注目すべきである。
【００２５】
また、式Ｉ、ＩＩおよびＩＩＩに示した置換パターンは単に可視的表示の目的でありかつアルキルおよびフェノールの置換はアミン分子上のあらゆる有効活性部位上に起こり得ることも当業者に明らかであろう。
【００２６】
上述した式で表される具体的化合物のいくつかの非限定例は下記である：
【００２７】
【化６】
2010507012.tif 000008
【００２８】
本発明の抗酸化剤生成物、例えば上述した抗酸化剤生成物などが大気圧下で示す沸点は好適には少なくとも約１７５℃である。本発明の生成物が有する２，６−ジヒドロカルビル−４−ヒドロキシベンジル基の数もしくは平均数は、電子が豊富に存在する芳香環上の置換可能水素原子の数に応じて多様であり得る。例えば、炭素原子数が３から約２４の範囲内の単一の分枝鎖アルキルで１個の環のみが置換されているジフェニルアミンの場合、置換されていない位置の数は９であるが、活性位の数はたいてい実際上５であり、このように、本発明の生成物が有するジフェニルアミン環上の２，６−ジヒドロカルビル−４−ヒドロキシベンジル基の数は典型的に５以下であろう。
【００２９】
いくつかの態様において、本発明の高分子抗酸化剤生成物は、下記の特性：
１．  未反応の芳香族アミン出発材料を実質的に含有しないこと、
２．  フェノール系出発材料を実質的に含有しないこと、
３．  １個の３，５−ジ−ヒドロカルビル−４−ヒドロキシルベンジル基で置換されてい
る芳香族アミンを実質的に含有しないこと、
４．  ２個の３，５−ジ−ヒドロカルビル−４−ヒドロキシルベンジル基で置換されてい
る芳香族アミンの濃度が非常に低いこと（非常に低いは上述した範囲内であること
を意味する）、
５．  多置換芳香族アミンが豊富に存在すること（豊富に存在するは上述した範囲内であ
ることを意味する）、
６．  アルキル置換メチレン橋渡しアミンフェノール系高分子を含有すること、
の中の１つ以上、好適には２つ以上、より好適には全部を有することで特徴づけ可能であり、好適には特徴づけられる。
【００３０】
好適な態様において、本発明の反応生成物が１−６の中の１つを有するとして記述する場合のそれは６である。
【００３１】
本発明の高分子抗酸化剤組成物は、また、上述したように、エンジンオイル中で高い溶解性を示す液体または低融点の非晶質固体であるとしても記述可能である。
【００３２】
本発明の反応生成物の使用
本発明の反応生成物は、空気または酸素の存在下で酸化劣化を通常受け易いいずれかの有機基質材料に入れる抗酸化剤として用いる目的で「混ぜ物無し」組成物として使用または販売で使用可能である。これを使用する時、本発明の新規な生成物を抗酸化量で当該基質、例えば潤滑油、液体燃料、熱可塑性重合体、樹脂もしくはオリゴマー、または天然もしくは合成ゴムもしくは弾性重合体などと混合してもよい。
【００３３】
本発明の添加剤組成物は、そのような有機材料が空気または酸素の存在下で早期の酸化劣化を起こさないようにそれを保護する別の様式の保護を構成するものである。このように、本発明の１種以上の反応生成物を油に入れる添加剤として用いるに適するようにする場合には、それを基油もしくは加工油である程度希釈するか或はそれに溶解させてもよいか、或は幅広く多様な潤滑油で通常用いられる他の成分と混合してもよい。使用可能な基油の例には、グループＩ、ＩＩおよびＩＩＩの鉱油、ポリ−アルファ−オレフィン、合成エステル、ガスツーリキッドで得られた油（ｇａｓ  ｔｏ  ｌｉｑｕｉｄ  ｄｅｒｉｖｅｄ  ｏｉｌｓ）、バイオが基になった油が含まれる。本発明の反応生成物を用いて新規で有用な潤滑添加剤混合物を生じさせようとする時に使用可能な他の添加剤の例には、これらに限定するものでないが、分散剤、洗浄剤、抗摩耗添加剤、極圧添加剤、腐食防止剤、錆防止剤、摩擦調整剤、流動点降下剤、粘度指数調整剤、乳化剤、解乳化剤、シールスウェル剤（ｓｅａｌ  ｓｗｅｌｌ  ａｇｅｎｔｓ）、可溶化剤、消泡剤、酸捕捉剤、金属不活性化剤および他の抗酸化剤もしくは安定剤が含まれる。そのような成分の中の１種以上の組み合わせを本発明の反応生成物の中の１種以上と一緒に用いることで添加剤混合物を生じさせることができる。また、本発明の反応生成物の中の１種以上を希釈剤、溶媒または担体流体および／または他の１種以上の適切な添加剤と混合することで内燃機関用油、列車および海洋用潤滑油、天然ガスエンジンオイル、ガスタービンオイル、蒸気タービンオイル、航空タービンオイル、錆および酸化用油、油圧油、コンプレッサー用流体、滑斜面用油、急冷用油、マニュアルおよびオートマチックトランスミッション用流体、ギアオイル、グリースなどに入れて用いるに適した添加剤組成物を生じさせることも可能である。油に入れて用いるに適した本発明の添加剤組成物のそれの含有量は、当該混合物に入れる他の成分の数および種類に応じて、本添加剤組成物の総重量を基準にして５重量％から９５重量％の範囲内であってもよい。本発明の完成潤滑油は本発明の生成物を抗酸化量で含有し、その量は典型的に本完成潤滑油の総重量を基準にして少なくとも約０．１重量％、好適には少なくとも約１重量％、より好適には少なくとも約３重量％である。潤滑粘度を有する油の使用を意図するサービスの種類に応じて、それに単一の添加剤としてか或は他の１種以上の成分を含有する添加剤組成物として混合する本発明の生成物の量は同じ基準で典型的に約１５重量％以下である。
【００３４】
本発明のそのような態様で用いる潤滑油は、鉱物、合成または鉱物および／または合成潤滑油の混合物であってもよい。そのような油はガスもしくは蒸気タービン、トランスミッションもしくは油圧油、火花点火および圧縮点火内燃機関、例えば天然ガスエンジン、自動車およびトラック用エンジン、海洋および列車用ディーゼルエンジンなどに適した典型的な産業用およびクランクケース用潤滑油である。潤滑用鉱油は、芳香、アスファルト系、ナフテン系、パラフィン系もしくは混合基原油から精製した油であってもよい。そのような潤滑油は、所望特性を有する完成ベースストックをもたらす潤滑用蒸留もしくは残油、例えばブライトストックなどまたはそのような油の混合物であってもよい。用いる合成基油は、（ｉ）ジカルボン酸とポリグリコールとアルコールのアルキルエステル、（ｉｉ）ポリ−アルファ−オレフィン（ポリブテンを包含）、（ｉｉｉ）アルキルベンゼン、（ｉｖ）燐酸の有機エステルまたは（ｖ）ポリシリコーン油であってもよい。そのような基油が１００℃で示す粘度は典型的に約２から約１５ｃＳｔ、好適には約２．５から約１１ｃＳｔである。
【００３５】
本発明の液体燃料組成物（例えばガソリン、ディーゼル燃料、ジェット燃料、ガスタービンエンジン燃料など）を生じさせようとする時に用いるに適した添加剤組成物の製造は、本発明の少なくとも１種の新規な化合物を他の１種以上の添加剤、例えば洗浄剤、担体流体、解乳化剤、腐食防止剤、金属不活性化剤、滑剤、流動点降下剤、セタンもしくはオクタン価改良剤、アンチノック剤、防氷剤などと一緒に含有して成る本発明の添加剤組成物の形態で本発明の反応生成物の中の１種以上を抗酸化量でそれに混合もしくは供給することで実施可能である。そのような基質である燃料は石油から得られた燃料であってもよいか或は合成燃料であってもよいか或はそれは前記種類の両方の材料の混合物であってもよい。そのような新規な組成物を本発明の添加剤混合物に入れる量は、この混合物に入れる他の成分の種類および数に応じて、この添加剤混合物の総重量を基準にして５重量％から９５重量％に及んで多様であり得る。
【００３６】
本発明の液体燃料組成物の製造を典型的には本発明の反応生成物の中の少なくとも１種を抗酸化量で燃料と一緒に単一の添加剤組成物（即ち他の種類の燃料添加剤を含有する）としてか或は本発明の反応生成物の中の少なくとも１種を他の少なくとも１種の燃料添加剤と一緒に含有する添加剤濃縮液として混合することで実施する。このように、本発明の添加剤濃縮液は本発明の反応生成物の中の少なくとも１種を約５から約９５重量％の範囲内で含有していてもよく、１００重量％に対する残りは他の１種以上の添加剤および場合により希釈剤、溶媒または担体流体であってもよいが、全部本添加剤濃縮液の総重量を基準にした重量％である。その完成した燃料組成物は本発明の反応生成物の中の少なくとも１種を典型的には約０．０００１から約０．１重量％の範囲内、好適には約０．００１から約０．０５重量％の範囲内（全部完成燃料組成物の総重量を基準）の量の抗酸化量で含有する。
【００３７】
勿論、本発明の反応生成物の中の１種以上を液状の基質である燃料または油と混合すると本発明の反応生成物はこれをそのような基質である燃料または油に添加した時ともはや正確に同じ組成および形態では存在しないことは理解されるであろう。例えば、それらは当該燃料もしくは油に入っている他の成分の中の１種以上と相互作用する可能性がありそして／またはそれらは当該基質である燃料もしくは油に溶解することで複合体を形成するか或は他の様式で変化する可能性もある。しかしながら、完成燃料もしくは潤滑油はこれに本発明の１種以上の反応生成物を添加したことから抗酸化特性を有することで、そのような基質が希釈された時にそのような変換が起こったとしてもそれは問題にならない。本発明に関して問題になる事項は、そのような希釈を行った時にどのような物が生じようともそれが抗酸化剤として有効であることである。従って、「の範囲内で含有」、「の中」
などの如き表現を本発明の反応生成物の中の少なくとも１種を言及する時に用いる場合、それは、液体燃料または基油のいずれかおよび／または他のいずれかの成分とブレンドまたは混合する直前にそれが存在していたかのように本発明の反応生成物の中の少なくとも１種を言及するとして理解されるべきである。
【００３８】
また、完成潤滑油に入れる本発明の反応生成物の量は潤滑油の種類、用いる本発明の１種以上の反応生成物の同定および要求される性能の所望レベルに応じて変わることも理解されるであろう。例えば、タービンオイルに入れる本発明の反応生成物１種または２種以上の濃度はしばしば完成タービンオイルの総重量を基準にして約０．０５から約１．０重量％に及んで多様である。しかしながら、エンジンオイルに入れる濃度は典型的にエンジンオイルの総重量を基準にして約０．２から約２重量％に及んで多様である。低燐エンジンオイルに入れる濃度は低燐エンジンオイルの総重量を基準にして約０．３から約３重量％に及んで多様であり得る。無燐エンジンオイルに入れる濃度は、無燐エンジンオイルの総重量を基準にして約４または５重量％の如く高くてもよい。重量％は全部あらゆる添加剤などを含有する完成油の総重量を基準にした重量％であることは理解されるであろう。本発明の反応生成物を適切に用いると、これは抗酸化剤組成物として働く。このように、本発明は、また、酸化の度合を低下させ、粘度上昇および重合の度合を低下させ、酸生成度合を低下させかつ潤滑油の塩基性を維持させ（ＴＡＮおよびＴＢＮ）、ワニスおよび付着物の生成度合を低下させ、摩擦および摩耗の度合を低下させ、酸化および付着物の制御に関してＺＤＤＰおよび燐への依存度を低下させ、上述したあらゆる潤滑油の使用可能寿命を長引かせかつオイル交換および車整備の回数を低下させる新規な改良方法も提供する。そのような方法の各々で本発明の少なくとも１種の新規な生成物が抗酸化量で混ざり合っている潤滑粘度の油を含有して成る本発明の潤滑油組成物を潤滑油として用いる。本発明の更に別の方法は潤滑油の酸化安定性を向上させる方法であり、この方法は、潤滑油に本発明の少なくとも１種の反応生成物を酸化安定性を向上させる量で混合することを含んで成る。このようにして、油の酸化安定性が本発明の反応生成物を含有しない同じ油に比べて有意に向上する。
【００３９】
本発明のエンジンオイル組成物の一例は、下記：
・  洗浄剤：高純度成分または濃縮液［濃縮液は典型的に希釈用油を２５から９０重量％含有］として０．５から５．０重量％
・  分散剤：高純度成分または濃縮液［濃縮液は典型的に希釈用油を２５から９０重量％含有］として１．０から１０．０重量％
・  ジアルキルジチオ燐酸亜鉛（ＺＤＤＰ）：高純度成分として０．１から１．５重量％（この量を低くする方が好適である）
・  任意成分としての粘度調整剤：高純度成分または濃縮液［濃縮液は典型的に希釈用油を５から５０重量％含有］として１．０から１５．０重量％
・  １種以上の追加的任意成分としての追加的抗酸化剤１種または２種以上：高純度成分または濃縮液［濃縮液は典型的に希釈用油を２５から９０重量％含有］として０．０１から１．０重量％
・  １種以上の任意成分としての下記の追加的添加剤を当該添加剤１種または２種以上が意図した機能を示すに充分な使用量：１種以上の摩擦調整剤、補足的抗摩耗添加剤、消泡剤、シールスウェル剤、乳化剤、解乳化剤、極圧添加剤、腐食防止剤、酸捕捉剤、金属不活性化剤および／または錆防止剤
・  本発明の少なくとも１種の生成物：０．１−２．５重量％［１００重量％に対する残りを１種以上の基油で構成］
を含有して成る成分を一緒に混合することで生じさせた組成物である。重量％は全部あらゆる添加剤などを含有する完成油の総重量を基準にした重量％であることは理解されるであろう。
【００４０】
本発明では、また、本発明の少なくとも１種の反応生成物を
１）少なくとも１種の通常のヒンダードフェノール系抗酸化剤
２）少なくとも１種の通常のアルキル置換ジフェニルアミン系抗酸化剤
３）少なくとも１種の有機モリブデン化合物
４）少なくとも１種のアルキル置換ジフェニルアミンおよび少なくとも１種の有機モリブデン化合物
５）少なくとも１種の無燐抗摩耗もしくは極圧添加剤
６）少なくとも１種のモリブデン含有もしくはホウ素含有分散剤
７）少なくとも１種の有機ホウ素化合物
８）少なくとも１種の有機ホウ素化合物および少なくとも１種の通常のアルキル置換ジフェニルアミン
９）少なくとも１種の硫化抗酸化剤、ＥＰ（極圧）添加剤もしくは抗摩耗添加剤
１０）少なくとも１種の通常のアルキル置換ジフェニルアミンに加えて少なくとも１種の（ｉ）硫化抗酸化剤、（ｉｉ）ＥＰ添加剤、（ｉｉｉ）抗摩耗添加剤および（ｉｖ）有機ホウ素化合物
１１）少なくとも１種の基油もしくは加工油
と一緒にすることで構成させた新規な組成物も提供する。このパラグラフに記述した組成物が１）−１１）の中のいずれか１つまたは１）−１１）の中のいずれか２つ以上の組み合わせを含有していてもよいことは本発明の範囲内であることは理解されるであろう。
【００４１】
本発明の生成物の製造方法
本発明の高分子反応生成物の製造は、例えば下記：
（Ａ）立体障害４−アルコキシメチル−２，６−ジヒドロカルビルフェノール、好適には立体障害４−アルコキシメチル−２，６−ジアルキルフェノール、より好適には４−アルコキシメチル−２，６−ジ−ｔ−ブチルフェノール（アルコキシメチル基はエトキシメチルまたはメトキシメチルである）、更により好適には４−メトキシメチル−２，６−ジ−ｔ−ブチルフェノール、または立体障害４−ヒドロキシメチル−２，６−ジヒドロカルビルフェノール、好適には立体障害４−ヒドロキシメチル−２，６−ジアルキルフェノール、より好適には４−ヒドロキシメチル−２，６−ジ−ｔ−ブチルフェノール、および
（Ｂ）芳香環を分子中に１から約４の範囲内の数で有しかつ環が複数の時には縮合環もしくは単結合環または両方の形態でありかつ第一級アミノ基（−ＮＨ２）、第二級アミノ基（−ＮＨＲ、ここで、Ｒは炭素原子数が約１８以下のヒドロカルビル基である）または第三級アミノ基（ＮＲ２、ここで、各Ｒは独立して炭素原子数が約１８以下のヒドロカルビル基である）を少なくとも１個、好適にはそのような第一級もしくは第二級アミノ基を少なくとも１個有する少なくとも１種の芳香族アミン、または
（Ｂ）（ａ）置換可能水素原子を環上に少なくとも１個有し、（ｂ）各々が炭素原子を３から約２４個の範囲内、好適には炭素原子を４から約１２個の範囲内の数で有する１個以上の分枝鎖アルキル基で置換されておりかつ（ｃ）場合により各々が炭素原子を１から約３個の範囲内の数で有する１個以上の追加的アルキル側鎖を持っていてもよい少なくとも１種の芳香族アミン、
を反応体として用いることなどで実施可能である。
【００４２】
そのような方法では、反応体（Ａ）と反応体（Ｂ）を（Ｃ）アルキル化用触媒および場合により（Ｄ）有機溶媒の存在下で一緒にすることでとりわけ抗酸化剤として用いるに適した反応生成物を生じさせる。
【００４３】
成分（Ａ）
本発明の方法で反応体として用いる立体障害４−アルコキシメチル−２，６−ジヒドロカルビルフェノールもしくは４−ヒドロキシメチル−２，６−ジヒドロカルビルフェノールは、かなり大きな群の化合物のいずれであってもよい。ヒドロキシル基を持つ炭素原子
に対してオルソ位に位置するヒドロカルビル基は一価の如何なる炭化水素基であってもよいが、但し結果としてもたらされる２位と６位の置換によってヒドロキシル基が立体障害を受けることを条件とする。立体障害を達成するには前記オルソ位の炭素原子総数が典型的には少なくとも４または５になるようにする必要がある。オルソ位に位置させることができる適切なヒドロカルビル基はとりわけアルキル、シクロアルキル、アルケニル、シクロアルケニル、シクロアルキルアルキル、アリールおよびアラルキルであり、かつ環式部分は、飽和もしくは不飽和であるかに拘わらず、アルキルで置換されていてもよい。アルキルおよびアルケニル基は直鎖もしくは分枝していてもよい。オルソ位に位置させる個々のヒドロカルビル基各々の炭素原子数は１から約１２の範囲内であってもよく、オルソ位に位置させるそれらの炭素原子総数は炭素原子数が約４から約１８の範囲内、好適には炭素原子数が８から約１６の範囲内になるような総数であってもよい。オルソ位の中の少なくとも一方が第三アルキル基で置換されている４−アルコキシメチルフェノールもしくは４−ヒドロキシメチルフェノールが好適である。そのアルコキシ基は直鎖もしくは分枝していてもよく、それの炭素原子数は約１８以下、好適には炭素原子数は約６以下であってもよい。アルコキシ基がエトキシ、より好適にはアルコキシ基がメトキシである４−アルコキシメチルヒンダードフェノールが好適である。アルキルもしくはアルケニル基が分枝している場合、その分枝の場所はアルキルもしくはアルケニル基の中の如何なる場所（第二アルキル基のアルファ−炭素原子の所を包含）であってもよく［例えばイソプロピルまたはｓ−ブチルの如く］、またはより離れた場所であってもよい［例えば２−エチルヘキシルの場合のようにベータ位など］。また、アルキルもしくはアルケニル基が有する分枝の数は如何なる数であってもよく、例えば１，１，３，３−テトラメチルブチル基の場合のように４個の分枝が存在していてもよい。
【００４４】
適切な立体障害４−アルコキシメチル−２，６−ジヒドロカルビルフェニルの非限定例には、４−エトキシメチル−２，６−ジイソプロピルフェノール、４−メトキシメチル−２−ｔ−ブチル−６−メチルフェノール、４−ブトキシメチル−２，６−ジ−ｔ−ブチルフェノール、４−ヘキサデシルオキシメチル−２−ｔ−ブチル−６−メチルフェノール、４−デシルオキシメチル−２−ｔ−ブチル−６−イソプロピルフェノール、４−ヘキシルオキシメチル−２−シクロヘキシル−６−エチルフェノール、４−メトキシメチル−２−ｔ−ブチル−６−フェニルフェノール、４−プロポキシメチル−２−ベンジル−６−イソプロピルフェノール、４−エトキシメチル−２，６−ジ−ｔ−ブチルフェノール、４−メトキシメチル−２，６−ジ−ｔ−ブチルフェノール、４−（２−エチルヘキシルオキシメチル）−２，６−ジ−ｔ−ブチルフェノールおよび類似ヒンダードフェノール化合物が含まれる。立体障害４−アルコキシメチル−２，６−ジアルキルフェノールの好適なサブグループは、オルソアルキル基の中の一方がｔ−ブチルでありかつもう一方がメチル、より好適にはｔ−ブチルでありかつアルコキシメチル基の総炭素原子数が９であるサブグループである。特に４−メトキシメチル−２−ｔ−ブチル−６−メチルフェノールが好適である。より特別には４−メトキシメチル−２，６−ジ−ｔ−ブチルフェノールが好適である。
【００４５】
適切な立体障害４−ヒドロキシメチル−２，６−ジヒドロカルビルフェノールの非限定例には、４−ヒドロキシメチル−２，６−ジイソプロピルフェノール、４−ヒドロキシメチル−２−ｔ−ブチル−６−メチルフェノール、４−ヒドロキシメチル−２，６−ジ−ｔ−ブチルフェノール、４−ヒドロキシメチル−２−ｔ−ブチル−６−メチルフェノール、４−ヒドロキシメチル−２−ｔ−ブチル−６−イソプロピルフェノール、４−ヒドロキシメチル−２−シクロヘキシル−６−エチルフェノール、４−ヒドロキシメチル−２−ｔ−ブチル−６−フェニルフェノール、４−ヒドロキシメチル−２−ベンジル−６−イソプロピルフェノール、４−ヒドロキシメチル−２，６−ジ−ｔ−ブチルフェノールおよび類似ヒンダードフェノール化合物が含まれる。立体障害４−ヒドロキシメチル−２，６−ジアルキルフェノールの好適なサブグループは、オルソアルキル基の中の一方がｔ−ブチルでありかつもう一方がメチル、より好適にはｔ−ブチルであるサブグループである。特に４
−ヒドロキシメチル−２−ｔ−ブチル−６−メチルフェノールが好適である。１つの典型的な態様における（Ａ）は４−ヒドロキシメチル−２，６−ジ−ｔ−ブチルフェノールである。
【００４６】
成分（Ｂ）
本発明の実施では、幅広い範囲の芳香族アミンを本発明で用いることを意図する。そのアリール基の環の数は１、２またはそれ以上であってもよく、それらは例えばフェニル、ナフチルなどであってもよくかつ置換されているか或は置換されていなくてもよい。各アリール基の炭素原子数は置換基の性質および置換度に応じて６から３６またはそれ以上の範囲内であってもよいが、それの炭素原子数は一般に６から約１８である。環の中の少なくとも１個が炭素原子数が３から約２４の範囲内、好適には４から約１２の範囲内の分枝鎖アルキル基で置換されている置換ジフェニルアミンがそのような種類の置換の例である。
【００４７】
適切な芳香族アミンの非限定例には、ジフェニルアミン、ノニル化ジフェニルアミンの１種もしくは混合物（例えばプロピレン三量体とジフェニルアミンから生じた）、ジイソブチレンとジフェニルアミンから生じたオクチル化ジフェニルアミンの１種もしくは混合物、イソブチレンとジフェニルアミンから生じたブチル化ジフェニルアミンの１種もしくは混合物、スチレンとジフェニルアミンから生じたスチレン化ジフェニルアミンの１種もしくは混合物、フェニル−α−ナフチルアミン、プロピレン三量体とフェニル−α−ナフチルアミンから生じたノニル化フェニル−α−ナフチルアミンの１種もしくは混合物、ジイソブチレンとフェニル−α−ナフチルアミンから生じたオクチル化フェニル−α−ナフチルアミンの１種もしくは混合物、イソブチレンとフェニル−α−ナフチルアミンから生じたブチル化フェニル−α−ナフチルアミンの１種もしくは混合物、スチレンとフェニル−α−ナフチルアミンから生じたスチレン化フェニル−α−ナフチルアミンの１種もしくは混合物、オルソ−フェニレンジアミン、パラ−フェニレンジアミン、Ｎ，Ｎ−ジ−ｓ−ブチル−ｐ−フェニレンジアミン、アニリン、Ｎ−メチルアニリン、Ｎ，Ｎ−ジメチルアニリン、トルイジン、Ｎ−メチル−ｏ−トルイジン、Ｎ−メチル−ｐ−トルイジン、Ｎ，Ｎ−ジメチル−ｏ−トルイジン、Ｎ，Ｎ−ジメチル−ｐ−トルイジン、２，６−ジエチルアニリン、２−エチル−６−メチルアニリン、２，６−ジイソプロピルアニリン、ｏ−ｔ−ブチルアニリン、トリフェニルアミン、２−４’−ジアミノビフェニル、４，４’−ジアミノビフェニル、１−ナフチルアミン、２−ナフチルアミン、Ｎ−メチル−１−ナフチルアミン、Ｎ，Ｎ−ジメチル−１−ナフチルアミン、２−アミノビフェニル、３−アミノビフェニル、４−アミノ−４’−メチルビフェニルおよび同様なアルキル置換もしくは非置換モノアミンもしくはポリアミンおよび前記のいずれか２種以上の混合物が含まれる。いくつかの態様における（Ｂ）はジフェニルアミンであり、そして他の態様における（Ｂ）は１種以上のアルキル置換ジフェニルアミンである。
【００４８】
成分（Ｃ）
本発明の実施では、（Ａ）と（Ｂ）の間の反応を助長する目的でアルキル化用触媒を用いてもよく、このように、（Ａ）と（Ｂ）の間の反応を本明細書では時にはアルキル化反応と呼ぶ。本明細書で用いるアルキル化反応用触媒は、（Ａ）と（Ｂ）の反応を助長することが知られているアルキル化用触媒のいずれからも選択可能である。いくつかの態様における（Ｃ）は、好適には、酸性触媒、例えば硫酸、アリールスルホン酸、アルキルスルホン酸またはアリールアルキルスルホン酸などである。他の適切なアルキル化用触媒の非限定例には、例えば塩酸、臭化水素酸、塩化アルミニウム、塩化ジエチルアルミニウム、トリエチルアルミニウム／塩化水素、塩化第二鉄、塩化亜鉛、三塩化アンモニウム、塩化第二錫、三フッ化ホウ素、酸性ゼオライト、酸性粘土および高分子スルホン酸、例えば名称Ａｍｂｅｒｌｙｓｔ（商標）の下で販売されているそれらが含まれる。
【００４９】
成分（Ｄ）
本方法を液状の反応用媒体中で実施するが、そのような液状の反応用媒体は、アルキル化反応条件下で液体である反応体の中の１つに由来する媒体であってもよいか或は不活性な有機溶媒の使用に由来する媒体であってもよい。使用可能な有機溶媒の非限定例には、例えば酢酸、プロピオン酸、１種以上のヘキサン異性体、１種以上のヘプタン異性体、１種以上のオクタン異性体、１種以上のデカン、アルカン溶媒、例えば上述した溶媒、シクロヘキサン、メチルシクロヘキサンなどの中の１種以上の混合物、二塩化メチレン、二臭化メチレン、ブロモクロロメタン、１，２−ジクロロエタン、１，２−ジブロモエタン、クロロホルム、クロロベンゼン、１種以上の塩化および／または臭化溶媒の混合物、例えば上述した溶媒の混合物など、およびアルカノール、例えばメチルアルコール、エチルアルコール、イソプロピルアルコール、ｎ−プロピルアルコール、ｎ−ブチルアルコール、ｓ−ブチルアルコール、イソブチルアルコール、２−エチルヘキシルアルコール、オクチルアルコールおよび他の液状もしくは低沸点の類似アルカノールなどの中の１種または混合物、および１種以上のエーテル、例えばジアルキルエーテル、テトラヒドロフラン、ジオキサンまたはこれらの混合物などが含まれる。いくつかの態様における溶媒は炭化水素溶媒である。好適な態様では（Ｄ）を本発明の実施で用いる。
【００５０】
工程条件
本発明の高分子反応生成物を生じさせる時に用いる方法を典型的には約２０℃から約１６０℃またはそれ以上の範囲の中の１つ以上の温度で実施する。いくつかの態様では、この方法を４０℃以上、好適には７０℃から約１６０℃またはそれ以上の範囲の中の１つ以上の温度で実施する。本発明者らは、本発明の反応生成物をもたらすには前記範囲内の反応温度がより適切であることが見いだした。更に、本発明者らは、温度をより高くする、即ち４０℃以上にすると本工程がより速く進行することで以前に考えていた時間よりも短い時間内に完了に到達し得ることも見いだした。例えば、２，６−ジ−ｔ−ブチル−４−メトキシメチルフェノールを（Ａ）として用いる場合の反応は、室温（約２３℃）で２，６−ジ−ｔ−ブチル−４−メトキシメチルフェノールが約１当量消費されるまでは比較的速い速度で始まる傾向がある。その後、反応の進行がより遅くなる傾向があり、従って、追加的熱エネルギーをかける必要がありそして／または追加的触媒を用いる必要がある。しかしながら、温度をより高くする、即ち４０℃以上にすると、前記反応がより速く進行することでより短い時間内に完了に到達し得る。
【００５１】
沸点がより低い反応体および／または溶媒を用いる時には反応を加圧下で実施してもよいか或は反応を冷却器の存在下で実施してもよい。たいていは、その反応の結果として電子が豊富に存在する活性環上にアルキル化が起こる。ある場合には、アルキル化が窒素原子上に起こることもあり得る。
【００５２】
本発明者らは、（Ａ）と（Ｂ）の相対的モル比を変えることによって以下に記述する如きいろいろな高分子反応生成物を生じさせることができかつそのような高分子反応生成物を抗酸化剤として用いることができることを見いだした。いくつかの態様では、（Ａ）と（Ｂ）を（Ｂ）対（Ａ）のモル比が約１：１から約１：１０の範囲内、好適には約１：１から約１：７の範囲内になるように用い、いくつかの態様では、（Ｂ）対（Ａ）のモル比を約１：３から約１：１０の範囲内、好適には約１：３から約１：７の範囲内にする。好適な態様では、（Ｂ）対（Ａ）のモル比を約１：１、約１：２、約１：２．５、約１：３、約１：３．５、約１：４、約１：４．５、約１：５、約１：５．５、約１：６、約１：６．５または約１：７のいずれかにしてもよい。
【００５３】
この上で行った説明は本発明のいくつかの態様に向けたものである。当業者は、本発明の精神を実施する目的で等しく有効な他の手段を考案することができることを認識するであろう。また、本発明の好適な態様では本明細書に考察する範囲の全部がより低いいずれ
かの量からより高いいずれかの量の範囲を包含することを意図することも注目すべきである。
【００５４】
以下の実施例は本発明を例示するものであり、決して限定を意味するものでない。
【００５５】
［実施例］
【実施例１】
【００５６】
この実施では、一アルキル置換ジフェニルアミンが比較的豊富に存在する分枝鎖ノニルジフェニルアミン（ＮＤＰＡ）混合物を反応体の１つとして用いた。このＮＤＰＡの組成はＧＣ分析（面積％）で示されるように下記の如くであった：遊離ＤＰＡが１．５０；オルソ−一アルキル置換ＤＰＡが０．３３；パラ−一アルキル置換ＤＰＡが２１．９０；オルソ−二アルキル置換ＤＰＡが３．２９；パラ−二アルキル置換ＤＰＡが６５．５４および三アルキル置換ＤＰＡが７．３３（アルキル基は主に分枝鎖ノニル基である）。用いた他の反応体は２，６−ジ−ｔ−ブチル−４−メトキシメチルフェノールである。このように、５００ｍＬの丸底フラスコに分枝鎖ノニルジフェニルアミンを２５．１ｇ、２，６−ジ−ｔ−ブチル−４−メトキシメチルフェノールを４．０ｇ、塩化メチレンを８０ｇ、酢酸を１０８ｇおよび濃硫酸である触媒を１．６ｇ仕込んだ。その混合物を６０℃に１時間加熱した後、１００ｇのエーテルと１００ｇの水で希釈した。相分離を実施した後、その有機相を水（３ｘ２００ｇ）で洗浄しそしてＭｇＳＯ４で乾燥させた。溶媒を減圧下で除去することで濃密な暗色の油を２５．３ｇ得たが、それが本発明の生成物を構成していた。
【００５７】
本発明のそのような生成物が抗酸化剤として有効であることを標準的酸化試験手順（ＡＳＴＭ  Ｄ  ６１８６）を用いて示したが、この手順では、添加剤を指定量で含有させておいた潤滑油に酸化を酸素を仕込んで１６０℃の温度に加熱しておいた耐圧容器内で５００ｐｓｉｇの初期高圧下で受けさせる。当該組成物の安定性は圧力降下が起こる前の誘導時間（ＯＩＴ）が長ければ長いほど高い。
【００５８】
そのような１つの試験では、実施例１で生じさせるアルキル置換ＮＤＰＡのサンプルを抗酸化剤として用いた。それをＥＨＣ  ６０油（１００℃における動粘度が６．１ｃＳｔで粘度指数が１１４でＮｏａｃｋ揮発性が８重量％の基鉱油；ＥｘｘｏｎＭｏｂｉｌ）と混合した後、その結果として得た混合物に上述した酸化試験手順を受けさせた。比較の目的で、また、ＮＤＰＡを単独で別の部分の同じ基油と混合した実験および２，６−ジ−ｔ−ブチル−４−メトキシメチルフェノールを単独で別の部分の同じ基油と混合した実験も実施した。これらの試験の結果を表１に要約する。
【００５９】
【表１】
2010507012.tif 000009
【実施例２】
【００６０】
３つ口丸底フラスコに滴下漏斗、磁気撹拌子、温度探針および冷却器を装備した。ジフェニルアミン（０．０２モル、３．４ｇ）をジクロロメンタン（２０ｍＬ）に溶解させた後、室温で硫酸（８０％を１０ｍＬ）を加えた。２，６−ジ−ｔ−ブチル−４−メトキシメチルフェノール（０．１２モル、３０ｇ）をジクロロメタン（６０ｍＬ）に入れることで生じさせた溶液を室温で少しずつ増やしながら（約２ｍＬ／分）添加した。最初の１当量の２，６−ジ−ｔ−ブチル−４−メトキシメチルフェノールを添加している間に発熱反応が起こったが、添加を継続すると止んだ。その反応混合物を４０−４５℃にしそして２，６−ジ−ｔ−ブチル−４−メトキシメチルフェノールの添加を５時間で完了した。その反応混合物を室温で一晩撹拌した。酸性相を分離した後、有機相を水（２ｘ３０ｍＬ）、希水酸化ナトリウムでｐＨが７−８になるまで、そして水（１ｘ３０ｍＬ）で洗浄した後、硫酸マグネシウムで乾燥させた。溶媒を水アスピレーター圧力下で蒸発させることで明黄色／オレンジ色の固体を得た。ＮＭＲおよびＬＣ−Ｍａｓｓで分析した結果、４，４’−メチレンビス（２，６−ジ−ｔ−ブチルフェノール）（１４％）、五置換異性体（５％）、六置換異性体（３０％）および分子量がより高い成分（５１％）が存在することが分かった。ＰＤＳＣで測定した酸化防止時間は、充填率が０．２５％の時には９９分であり、０．５０％の時には１２３分でありそして０．７５％の時には１３６分であった。
【実施例３】
【００６１】
３つ口丸底フラスコに滴下漏斗、磁気撹拌子、温度探針および冷却器を装備した。ジフェニルアミン（０．１モル、１６．９ｇ）をジクロロメンタン（４０ｍＬ）に溶解させた後、室温で硫酸（８０％を１０ｍＬ）を加えた。２，６−ジ−ｔ−ブチル−４−メトキシメチルフェノール（０．３モル、７５ｇ）をジクロロメタン（１３０ｍＬ）に入れることで生じさせた溶液を室温で少しずつ増やしながら添加した。最初の１当量の２，６−ジ−ｔ−ブチル−４−メトキシメチルフェノールを添加している間に発熱反応が起こったが、添加を継続すると止んだ。その反応混合物を４０−４５℃にしそして２，６−ジ−ｔ−ブチル−４−メトキシメチルフェノールの添加を３時間で完了した。その反応混合物を室温で一晩撹拌した。酸性相を分離した後、有機相を水（２ｘ３０ｍＬ）、希水酸化ナトリウムでｐＨが７−８になるまで、そして水（１ｘ３０ｍＬ）で洗浄した後、硫酸マグネシウムで乾燥させた。溶媒を水アスピレーター圧力下で蒸発させることで明黄色／オレンジ色の固体を得た。ＮＭＲおよびＬＣ−Ｍａｓｓで分析した結果、一置換異性体（６％）、二置換異性体（２６％）、三置換異性体（２９％）、四置換異性体（２８％）、五置換異性体（５％）が存在することが分かった。ＰＤＳＣで測定した酸化防止時間（ＯＩＴ）は、充填率が０．２５％の時には１３８分であり、０．５０％の時には１７０分でありそして０．７５％の時には１９１分であった。
【実施例４】
【００６２】
４つ口フラスコに機械的撹拌機、滴下漏斗、冷却器、窒素入り口および温度探針を装備した。この反応槽にジフェニルアミン（３８．９ｇ）、トルエン（１７５ｍＬ）、濃硫酸（３ｇ、９８％）および酢酸（６ｇ）を仕込んだ。その反応混合物を撹拌しながら約７０℃に加熱し、２，６−ジ−ｔ−ブチル−４−メトキシメチルフェノール（３００ｇ）をトルエン（３５０ｍＬ）に入れることで生じさせた温溶液を約７０℃で２時間かけて仕込んだ後、共生成物であるメタノールを塔頂から留出させた。そのような条件にすると反応が全体で６時間後に完了した。その反応混合物を水（２ｘ２００ｍＬ）で洗浄した。トルエンを蒸留で除去した後、その結果として得た油状残留物に熱処理（６０−８０℃で２−１０ｍｍＨｇ）を１時間受けさせた。その結果として得た油状生成物を室温に放置すると固化した。ＨＰＬＣによる分析の結果、一置換ジフェニルアミン生成物はゼロパーセントであり、二置換生成物もゼロパーセントであり、三置換生成物は１％であり、四置換生成物は１４％であり、五置換生成物は４３％であり、六置換生成物は２４％であることが分かった。加うるに、サンプル中に４，４’−メチレンビス（２，６−ジ−ｔ−ブチルフェノール）が３．４重量％およびメチレン橋渡し生成物と他のオリゴマー状材料が１５％存在することを同定した。
【実施例５】
【００６３】
使用するジフェニルアミン／２，６−ジ−ｔ−ブチル−４−メトキシメチルフェノールのモル比を１：３にする以外は実施例３と同じ手順を用いた。その生成物は一置換ジフェニルアミン生成物を１％、二置換生成物を１７％、三置換生成物を３６％、四置換生成物を２２％、五置換生成物を２％、六置換生成物を１％含有していた。加うるに、サンプル中に４，４’−メチレンビス（２，６−ジ−ｔ−ブチルフェノール）が４．３重量％およびメチレン橋渡し生成物と他のオリゴマー状材料が１５％存在することを同定した。
【実施例６】
【００６４】
使用するジフェニルアミン／２，６−ジ−ｔ−ブチル−４−メトキシメチルフェノールのモル比を１：４にする以外は実施例３と同じ手順を用いた。その生成物は一置換ジフェニルアミン生成物を１％、二置換生成物を１％、三置換生成物を１４％、四置換生成物を３４％、五置換生成物を１１％、六置換生成物を１％含有していた。加うるに、サンプル中に４，４’−メチレンビス（２，６−ジ−ｔ−ブチルフェノール）が６．０重量％およびメチレン橋渡し生成物と他のオリゴマー状材料が２６％存在することを同定した。
【実施例７】
【００６５】
硫酸の代わりにメタンスルホン酸を用いる以外は実施例５の手順と同じ手順を試みた。その生成物は一置換ジフェニルアミン生成物を１％、二置換生成物を２％、三置換生成物を１３％、四置換生成物を４０％、五置換生成物を２３％、六置換生成物を３％含有していた。加うるに、サンプル中に４，４’−メチレンビス（２，６−ジ−ｔ−ブチルフェノール）が４．７重量％およびメチレン橋渡し生成物と他のオリゴマー状材料が１３％存在することを同定した。
【実施例８】
【００６６】
トルエンの代わりにメタノールを用いかつ硫酸の代わりにＡｍｂｅｒｌｙｓｔ（商標）３５触媒を用いる以外は実施例３の手順と同じ手順を試みた。その生成物は一置換ジフェニルアミン生成物を０．５％、二置換生成物を３％、三置換生成物を１９％、四置換生成物を５６％、五置換生成物を１５％、六置換生成物を０．５％含有していた。加うるに、サンプル中に４，４’−メチレンビス（２，６−ジ−ｔ−ブチルフェノール）が１．７重量％およびメチレン橋渡し生成物と他のオリゴマー状材料が４％存在することを同定した
。
【実施例９】
【００６７】
ジフェニルアミン（「ＤＰＡ」）と２，６−ジ−ｔ−ブチル−４−メトキシメチルフェノール（「フェノール」）を用いて本発明に従う抗酸化剤組成物を数種類製造した。使用した成分のモル比および条件に加えてそのようにして生じさせた抗酸化剤生成物の含有量を以下の表１に含める。
【００６８】
【表２】
2010507012.tif 000010
【００６９】
表１に示した生成物は全部が４，４’−メチレンビス（２，６−ジ−ｔ−ブチルフェノール）を２−３．５重量％の量で含有していた。
【００７０】
（比較実施例１）
米国特許第３，６７３，０９１号に記述されている方法を反復した。その生成物をＬＣ−Ｍａｓｓで分析した結果、未反応ジフェニルアミンを３５％、一置換生成物を４３％、二置換生成物を１６％および三置換生成物を２％含有することに加えて置換度がより高い異性体の含有量は１％未満であった。そのようにして生じさせた抗酸化剤生成物の成分およびそれらの量を以下の表２に示す。
【００７１】
（比較実施例２）
米国特許第３，６７３，０９１号に記述されている方法をジフェニルアミンと２，６−ジ−ｔ−ブチル−４−ヒドロキシベンジルアルコールのモル比を１：４にして反復した。その単離した生成物は一置換異性体を２０％、二置換異性体を３６％、三置換異性体を２１％、四置換異性体を３％含有し、五置換異性体の含有量は０．５％未満であり、六置換異性体の含有量は０．１％未満でありかつメチレン橋渡し異性体の量はゼロであった。そのようにして生じさせた抗酸化剤生成物の成分およびそれらの量を以下の表２に示す。
【００７２】
（比較実施例３）
ジフェニルアミンと２，６−ジ−ｔ−ブチル−４−ヒドロキシベンジルアルコール（「アルコール」）の反応を使用するモル比を変えて実施例２の方法に従って起こさせ、そのモル比および反応時間を表２に示す。そのようにして生じさせた抗酸化剤生成物の成分およびそれらの量を以下の表２に示す。
【００７３】
【表３】
2010507012.tif 000011
【００７４】
表１に示した生成物は全部が４，４’−メチレンビス（２，６−ジ−ｔ−ブチルフェノール）を０．１−７．０重量％の量で含有していた。
【００７５】
また、本発明の新規な生成物は天然もしくは合成ゴムもしくは弾性重合体および合成重合体、特に熱可塑性オリゴマー、熱可塑性重合体および熱可塑性樹脂に入れて用いる抗酸化剤としても有効である。そのような材料を空気または酸素の存在下で使用または貯蔵している間にそれらが起こす酸化劣化を防止するには一般に約１０重量％以下の量で充分である。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
１種以上のｉ）１個の３，５−ジ−ヒドロカルビル−４−ヒドロキシルベンジル基で置換されている芳香族アミン、ｉｉ）２個の３，５−ジ−ヒドロカルビル−４−ヒドロキシルベンジル基で置換されている芳香族アミン、ｉｉｉ）３個の３，５−ジ−ヒドロカルビル−４−ヒドロキシルベンジル基で置換されている芳香族アミン、ｉｖ）４個の３，５−ジ−ヒドロカルビル−４−ヒドロキシルベンジル基で置換されている芳香族アミン、ｖ）５個の３，５−ジ−ヒドロカルビル−４−ヒドロキシルベンジル基で置換されている芳香族アミンおよびｖｉ）６個の３，５−ジ−ヒドロカルビル−４−ヒドロキシルベンジル基で置換されている芳香族アミン、およびｖｉｉ）１個以上の３，５−ジ−ヒドロカルビル−４−ヒドロキシルベンジル基で置換されている１種以上のメチレン橋渡し芳香族アミンを含有して成る高分子抗酸化剤生成物であって、室温で液体であるか或は約１００℃未満で溶融する固体でありかつ液状炭化水素溶媒に溶解し得かつ下記の一般式：
【化１】
2010507012.tif 000029
［式中、各ＲおよびＲ’は独立してＨまたはヒドロカルビルである］
で表される１種以上のフェノール成分を約１から約１０重量％の範囲内の量で含有する高分子抗酸化剤生成物。
【請求項２】
ｉ）１個の３，５−ジ−ヒドロカルビル−４−ヒドロキシルベンジル基で置換されている１種以上の芳香族アミンの含有量が約５重量％未満であり、ｉｉ）２個の３，５−ジ−ヒドロカルビル−４−ヒドロキシルベンジル基で置換されている１種以上の芳香族アミンの含有量が約１０重量％未満であり、ｉｉｉ）３個の３，５−ジ−ヒドロカルビル−４−ヒドロキシルベンジル基で置換されている１種以上の芳香族アミンの含有量が約１重量％から約３５重量％の範囲内であり、ｉｖ）４個の３，５−ジ−ヒドロカルビル−４−ヒドロキシルベンジル基で置換されている１種以上の芳香族アミン、ｖ）５個の３，５−ジ−ヒドロカルビル−４−ヒドロキシルベンジル基で置換されている１種以上の芳香族アミン、ｖｉ）６個の３，５−ジ−ヒドロカルビル−４−ヒドロキシルベンジル基で置換されている１種以上の芳香族アミンの中の少なくとも１種の含有量が４０重量％以上でありかつｖｉｉ）１個以上の３，５−ジ−ヒドロカルビル−４−ヒドロキシルベンジル基で置換されている１種以上のメチレン橋渡し芳香族アミンの含有量が約１から約２０重量％の範囲内でありかつあらゆる重量％が高分子反応生成物の総重量を基準にした重量％である高分子反応生成物であって、室温で液体であるか或は約１００℃未満で溶融する固体でありかつ下記の一般式：
【化２】
2010507012.tif 000030
［式中、各ＲおよびＲ’は独立してＨまたはヒドロカルビルである］
で表される１種以上のフェノール成分を約１から約１０重量％の範囲内の量で含有する高分子反応生成物。
【請求項３】
下記の特性：
ａ）未反応の芳香族アミン出発材料を実質的に含有しないこと、
ｂ）フェノール系出発材料を実質的に含有しないこと、
ｃ）１個の３，５−ジ−ヒドロカルビル−４−ヒドロキシルベンジル基で置換されている
芳香族アミンを実質的に含有しないこと、
の中の１つ以上を有することを特徴とする請求項２記載の高分子反応生成物。
【請求項４】
下記の一般式である式Ｉ：
【化３】
2010507012.tif 000031
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６は独立してＨまたはヒドロカルビルであり、ｎは約０から約１の範囲内の整数であり、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表される１種以上の化合物を含有して成る請求項２記載の高分子反応生成物。
【請求項５】
下記の一般式：
【化４】
2010507012.tif 000032
［ここで、式ＩＩおよびＩＩＩの各Ｒ１、Ｒ２、Ｒ５およびＲ６は独立してＨまたはヒドロカルビルであり、各ＲおよびＲ’は独立して水素または炭素を約１から約８の範囲内
の数で含有する分枝もしくは直鎖アルキルであり、式ＩＩの各ｐおよびｑは独立して約１から約１０の範囲内の整数であり、そしてｐ＋ｑは約１０であり、式ＩＩＩの各ｐおよびｑは独立して整数であり、そしてｐ＋ｑは約１から約１２の範囲内である］
で表される１種以上の化合物を含有して成る請求項２記載の高分子反応生成物。
【請求項６】
前記１個以上の３，５−ジ−ヒドロカルビル−４−ヒドロキシルベンジル基で置換されている１種以上のメチレン橋渡し芳香族アミンが式ＩＩ、式ＩＩＩまたは式ＩＩと式ＩＩＩで表される請求項２記載の高分子反応生成物。
【請求項７】
ｉ）１個の３，５−ジ−ヒドロカルビル−４−ヒドロキシルベンジル基で置換されてい
る芳香族アミンの含有量が高分子反応生成物の総重量を基準にして約５重量％未満
であり、
ｉｉ）２個の３，５−ジ−ヒドロカルビル−４−ヒドロキシルベンジル基で置換されてい
る芳香族アミンの含有量が高分子反応生成物の総重量を基準にして約１０重量％未
満であり、
ｉｉｉ）３個の３，５−ジ−ヒドロカルビル−４−ヒドロキシルベンジル基で置換されて
いる芳香族アミンの含有量が高分子反応生成物の総重量を基準にして約１重量％
から約３５重量％の範囲内であり、
ｉｖ）４個の３，５−ジ−ヒドロカルビル−４−ヒドロキシルベンジル基で置換されてい
る芳香族アミンの含有量が高分子反応生成物の総重量を基準にして約１０重量％か
ら約６５重量％の範囲内であり、
ｖ）５個の３，５−ジ−ヒドロカルビル−４−ヒドロキシルベンジル基で置換されている
芳香族アミンの含有量が高分子反応生成物の総重量を基準にして約５重量％から約６
０重量％の範囲内であり、
ｖｉ）６個の３，５−ジ−ヒドロカルビル−４−ヒドロキシルベンジル基で置換されてい
る芳香族アミンの含有量が高分子反応生成物の総重量を基準にして約１重量％から
約５０重量％の範囲内であり、
ｖｉｉ）１個以上の３，５−ジ−ヒドロカルビル−４−ヒドロキシルベンジル基で置換さ
れている１種以上のメチレン橋渡し芳香族アミンの含有量が約１から約１５重量
％の範囲内であり、かつ下記の一般式：
【化５】
2010507012.tif 000033
［式中、各ＲおよびＲ’は独立してＨまたはヒドロカルビルである］
で表される１種以上のフェノール成分を約１から約５重量％の範囲内の量で含有するか、或は
ｉ）１個の３，５−ジ−ヒドロカルビル−４−ヒドロキシルベンジル基で置換されている芳香族アミンの含有量が高分子反応生成物の総重量を基準にして約１重量％未満であり、ｉｉ）２個の３，５−ジ−ヒドロカルビル−４−ヒドロキシルベンジル基で置換されている芳香族アミンの含有量が高分子反応生成物の総重量を基準にして約５重量％未満であり、
ｉｉｉ）３個の３，５−ジ−ヒドロカルビル−４−ヒドロキシルベンジル基で置換されている芳香族アミンの含有量が高分子反応生成物の総重量を基準にして約５重量％から約２５重量％の範囲内であり、
ｉｖ）４個の３，５−ジ−ヒドロカルビル−４−ヒドロキシルベンジル基で置換されている芳香族アミンの含有量が高分子反応生成物の総重量を基準にして約１５重量％から約６０重量％の範囲内であり、
ｖ）５個の３，５−ジ−ヒドロカルビル−４−ヒドロキシルベンジル基で置換されている
芳香族アミンの含有量が高分子反応生成物の総重量を基準にして約８重量％から約５０重量％の範囲内であり、
ｖｉ）６個の３，５−ジ−ヒドロカルビル−４−ヒドロキシルベンジル基で置換されている芳香族アミンの含有量が高分子反応生成物の総重量を基準にして約５重量％から約３５重量％の範囲内であり、
ｖｉｉ）１個以上の３，５−ジ−ヒドロカルビル−４−ヒドロキシルベンジル基で置換されている１種以上のメチレン橋渡し芳香族アミンの含有量が高分子反応生成物の総重量を基準にして約１から約１０重量％の範囲内であり、かつ下記の一般式：
【化６】
2010507012.tif 000034
［式中、各ＲおよびＲ’は独立してＨまたはヒドロカルビルである］
で表される１種以上のフェノール成分を約１から約５重量％の範囲内の量で含有する、
請求項２記載の高分子反応生成物。
【請求項８】
下記の特性：
ａ）未反応の芳香族アミン出発材料を実質的に含有しないこと、
ｂ）フェノール系出発材料を実質的に含有しないこと、
ｃ）１個の３，５−ジ−ヒドロカルビル−４−ヒドロキシルベンジル基で置換されている
芳香族アミンを実質的に含有しないこと、
の中の１つ以上を有することを特徴とする請求項７記載の高分子反応生成物。
【請求項９】
下記の化合物：
【化７】
2010507012.tif 000035
【化８】
2010507012.tif 000036
の中の１種以上を含有する請求項２記載の高分子反応生成物。
【請求項１０】
ａ）グループＩ、ＩＩおよびＩＩＩの鉱油から選択される潤滑粘度を有する少なくとも
１種の油、ポリ−アルファ−オレフィン、合成エステル、ガスツーリキッドで得ら
れた油、バイオが基になった油、内燃機関用油、列車および海洋用潤滑油、天然ガ
スエンジンオイル、ガスタービンオイル、蒸気タービンオイル、航空タービンオイ
ル、錆および酸化用油、油圧油、コンプレッサー用流体、滑斜面用油、急冷用油、
マニュアルおよびオートマチックトランスミッション用流体、ギアオイルおよびグ
リースから選択される空気または酸素の存在下で酸化され易い１種以上の有機材料
、
ｂ）ｉ）（１）１個の３，５−ジ−ヒドロカルビル−４−ヒドロキシルベンジル基で置換
されている芳香族アミンの含有量が抗酸化剤生成物１の総重量を基準にし
て約５重量％未満であり、
（２）２個の３，５−ジ−ヒドロカルビル−４−ヒドロキシルベンジル基で置換
されている芳香族アミンの含有量が抗酸化剤生成物１の総重量を基準にし
て約１０重量％未満であり、
（３）３個の３，５−ジ−ヒドロカルビル−４−ヒドロキシルベンジル基で置換
されている芳香族アミンの含有量が抗酸化剤生成物１の総重量を基準にし
て約１重量％から約３５重量％の範囲内であり、
（４）４個の３，５−ジ−ヒドロカルビル−４−ヒドロキシルベンジル基で置換
されている芳香族アミンの含有量が抗酸化剤生成物１の総重量を基準にし
て約１０重量％から約６５重量％の範囲内であり、
（５）５個の３，５−ジ−ヒドロカルビル−４−ヒドロキシルベンジル基で置換
されている芳香族アミンの含有量が抗酸化剤生成物１の総重量を基準にし
て約５重量％から約６０重量％の範囲内であり、
（６）６個の３，５−ジ−ヒドロカルビル−４−ヒドロキシルベンジル基で置換
されている芳香族アミンの含有量が抗酸化剤生成物１の総重量を基準にし
て約１重量％から約５０重量％の範囲内であり、
（７）１個以上の３，５−ジ−ヒドロカルビル−４−ヒドロキシルベンジル基で
置換されている１種以上のメチレン橋渡し芳香族アミンの含有量が抗酸化
剤生成物１の総重量を基準にして約１から約２０重量％の範囲内であり、
かつ下記の一般式：
【化１２】
2010507012.tif 000037
［式中、各ＲおよびＲ’は独立してＨまたはヒドロカルビルである］
で表される１種以上のフェノール成分を約１から約１０重量％の範囲内の量で含有する、抗酸化剤生成物１、または
ｉｉ）（１）１個の３，５−ジ−ヒドロカルビル−４−ヒドロキシルベンジル基で置換
されている芳香族アミンの含有量が抗酸化剤生成物２の総重量を基準にし
て約１重量％未満であり、
（２）２個の３，５−ジ−ヒドロカルビル−４−ヒドロキシルベンジル基で置換
されている芳香族アミンの含有量が抗酸化剤生成物２の総重量を基準にし
て約５重量％未満であり、
（３）３個の３，５−ジ−ヒドロカルビル−４−ヒドロキシルベンジル基で置換
されている芳香族アミンの含有量が抗酸化剤生成物２の総重量を基準にし
て約５重量％から約２５重量％の範囲内であり、
（４）４個の３，５−ジ−ヒドロカルビル−４−ヒドロキシルベンジル基で置換
されている芳香族アミンの含有量が抗酸化剤生成物２の総重量を基準にし
て約１５重量％から約６０重量％の範囲内であり、
（５）５個の３，５−ジ−ヒドロカルビル−４−ヒドロキシルベンジル基で置換
されている芳香族アミンの含有量が抗酸化剤生成物２の総重量を基準にし
て約８重量％から約５０重量％の範囲内であり、
（６）６個の３，５−ジ−ヒドロカルビル−４−ヒドロキシルベンジル基で置換
されている芳香族アミンの含有量が抗酸化剤生成物２の総重量を基準にし
て約５重量％から約３５重量％の範囲内であり、かつ
（７）１個以上の３，５−ジ−ヒドロカルビル−４−ヒドロキシルベンジル基で
置換されている１種以上のメチレン橋渡し芳香族アミンの含有量が抗酸化
剤生成物２の総重量を基準にして約１から約２０重量％の範囲内であり、
かつ下記の一般式：
【化１３】
2010507012.tif 000038
［式中、各ＲおよびＲ’は独立してＨまたはヒドロカルビルである］
で表される１種以上のフェノール成分を約１から約１０重量％の範囲内の量で含有する、抗酸化剤生成物２、
から選択される抗酸化剤生成物、
ｃ）分散剤、洗浄剤、抗摩耗添加剤、極圧添加剤、腐食防止剤、錆防止剤、摩擦調整剤、金属不活性化剤、滑剤、流動点降下剤、アンチノック剤、防氷剤、粘度指数調整剤、乳化剤、解乳化剤、シールスウェル剤、可溶化剤、消泡剤、他の抗酸化剤もしくは安定剤、希釈剤、溶媒、担体流体またはジアルキルジチオ燐酸亜鉛、少なくとも１種の通常のヒンダードフェノール系抗酸化剤、少なくとも１種の通常のアルキル置換ジフェニルアミン系抗酸化剤、少なくとも１種の有機モリブデン化合物、少なくとも１種のアルキル置換ジフェニルアミンと少なくとも１種の有機モリブデン化合物、少なくとも１種の無燐抗摩耗もしくは極圧添加剤、少なくとも１種のモリブデン含有もしくはホウ素含有分散剤、少なくとも１種の有機ホウ素化合物、少なくとも１種の有機ホウ素化合物と少なくとも１種の通常のアルキル置換ジフェニルアミン、少なくとも１種の硫化抗酸化剤、ＥＰ（極圧）添加剤もしくは抗摩耗添加剤、少なくとも１種の通常のアルキル置換ジフェニルアミンに加えて少なくとも１種の（ｉ）硫化抗酸化剤、（ｉｉ）ＥＰ添加剤、（ｉｉｉ）抗摩耗添加剤および（ｉｖ）有機ホウ素化合物から選択される１種以上の添加剤、
を含有して成る組成物。
【請求項１１】
前記抗酸化剤生成物が下記の一般式である式Ｉ：
【化１４】
2010507012.tif 000039
［式中、Ｒ１はＨまたはヒドロカルビルであり、Ｒ２はＨまたはヒドロカルビルであり、Ｒ３およびＲ４は３，５−ジヒドロカルビル−４−ヒドロキシベンジルであり、Ｒ５およびＲ６は独立してＨまたはヒドロカルビルであり、ｎは約０から約１の範囲内の整数であ
り、ｐおよびｑは整数であり、そしてｐ＋ｑは約１から約１０の範囲内であり、ｎ＝０の時のｍは１であり、そしてｎ＝１の時のｍは約２から約１０の範囲内の整数である］
で表される１種以上の化合物を含有して成る請求項１０記載の組成物。
【請求項１２】
前記抗酸化剤組成物が式ＩＩおよび式ＩＩＩで表される１種以上の化合物を含有して成る請求項１１記載の組成物。
【請求項１３】
前記抗酸化剤生成物が下記の化合物：
【化１５】
2010507012.tif 000040
【化１６】
2010507012.tif 000041
の中の１種以上を含有する請求項１１記載の組成物。
【請求項１４】
前記抗酸化剤生成物が１個の３，５−ジヒドロカルビル−４−ヒドロキシルベンジル基で置換されている芳香族アミンを実質的に含有しないか或は１個の３，５−ジヒドロカルビル−４−ヒドロキシルベンジル基で置換されている芳香族アミンを実質的に含有せずかつ２個の３，５−ジヒドロカルビル−４−ヒドロキシルベンジル基で置換されている芳香族アミンを実質的に含有しない請求項１０記載の組成物。
【請求項１５】
ｂ）とｃ）が少なくとも１種以上の油と一緒に濃縮液として混合されておりかつ前記濃縮液がａ）を約５から約９５重量％の範囲内の量で含有しかつ希釈用油も含有する請求項１０記載の組成物。
【請求項１６】
前記抗酸化剤生成物１および抗酸化剤生成物２が含有する１個以上の３，５−ジ−ヒドロカルビル−４−ヒドロキシルベンジル基で置換されている１種以上のメチレン橋渡し芳香族アミンが式ＩＩ、式ＩＩＩまたは式ＩＩと式ＩＩＩで表される請求項１０記載の組成物。
【国際調査報告】
2010507012.tif 000042
2010507012.tif 000043